(57)【要約】      （修正有）【課題】外ケースにレンズ孔等を設けることなくスマートフォンを装着したままで、スマートフォンのカメラ撮影や発光を可能にするスマートフォン収納ケースを提供する。【解決手段】スマートフォンの縦横および厚み寸法を上回る大きさであって、中間の折り曲げ自在な連接部１を介してその片側に形成した略平坦な表面カバー２と、他側に形成した略平坦な裏面カバー６と、表面カバー２と裏面カバー６との間に、一端８ａを連接部１付近に固定して折り曲げ自在の連接部８とするとともに、その自由端を略平坦とし、該自由端面にスマートフォンを粘着剤等により取り付け可能としたスマートフォン取り付け板９とからなり、該スマートフォン取り付け板９は上方部がスマートフォンのカメラ撮影部や発光部、赤外線センサ送受光部等の使用時にそのままの状態において各機能を阻害しない構成とした。【選択図】図１
0003197709.tif 000002
【実用新案登録請求の範囲】
【請求項１】
スマートフォンの縦横および厚み寸法を上回る大きさであって、中間の折り曲げ自在な連接部を介してその片側に形成した略平坦な表面カバーと、他側に形成した略平坦な裏面カバーと、表面カバーと裏面カバーとの間に、一端を連接部付近に固定して折り曲げ自在の連接部とするとともに、その自由端を略平坦とし、該自由端面にスマートフォンを粘着剤等により取り付け可能としたスマートフォン取り付け板とからなり、該スマートフォン取り付け板は上方部がスマートフォンのカメラ撮影部や発光部、赤外線センサ送受光部等の使用時にそのままの状態において各機能を阻害しない構成としたことを特徴としたスマートフォン収納ケース。
【請求項２】
請求項１に記載のスマートフォンの取り付け板の構成において、上方部がスマートフォンのカメラ・動画撮影レンズ部や発光部、赤外線センサ送受光部等の使用時にそのままの状態において各機能を阻害しない構成が、取り付け板の上方部がスマートフォンのカメラレンズ部や発光部等にまで至らない短い高さとしてあることを特徴としたスマートフォン収納ケース。
【請求項３】
スマートフォン取り付け板の一端に有する折り曲げ自在の連接部およびその取り付け端部の上端縁部が、スマートフォン取り付け板の上端縁より取り付け端部上端縁にかけて高さを増すように構成されていることを特徴とした請求項１または請求項２に記載のスマートフォン収納ケース。
【請求項４】
請求項１に記載のスマートフォンの取り付け板の構成において、上方部がスマートフォンのカメラ・動画撮影レンズ部や発光部、赤外線センサ送受光部等の使用時にそのままの状態において各機能を阻害しない構成が、スマートフォン取り付け状態において、少なくともカメラレンズ部や発光部等の機能を妨げない透孔が設けられているところのスマートフォン収納ケース。
【請求項５】
表面カバーおよび裏面カバーの少なくとも一方の裏側に、三辺が閉塞されて連接部に沿わせた一辺を開放させた袋状のポケットが形成されているところの請求項１〜４のいずれか１に記載のスマートフォン収納ケース。
【請求項６】
袋状のポケットの表面には少なくとも一つのカードポケットを形成してあるところの請求項１〜５のいずれか１に記載のスマートフォン収納ケース。
【請求項７】
表面カバーと裏面カバーとの間に設けられたスマートフォン取り付け板の固定した取り付け端部の下端部付近に円環により縁部を補強した孔が形成されているところの請求項１〜６のいずれか１に記載のスマートフォン収納ケース。
【考案の詳細な説明】
【技術分野】
【０００１】
本考案は、スマートフォンを収納するとともに、各種のカードケース機能を兼ね備える収納ケースに関する。
【背景技術】
【０００２】
従来、スマートフォンを保護するためのカバーやケース類について多くの種類のものが提案されている。例えば装着するスマートフォンより大きめでしかも硬めの生地を中間の折り曲げ自在な連接部を介して二つ折り自在とし、その片側の内面にスマートフォンを保持させるためのプラスチック等の固定枠を固定してこれにスマートフォンを固定できるようにしたものが最も一般的に知られている。
【０００３】
また二つ折りしたカバーやケースの内面にはスマートフォンだけでなく、名刺や名札、カード類を一緒に収納できるようにした多目的ストラップケース（実用新案登録第３１８９１１２号）、あるいはスマートフォン等に備えられているカメラ部、発光部、赤外線センサ送受信部等の機能を阻害しないようにカバー自体に比較的大きな横長形状の窓を形成したものも知られている（実用新案登録第３１９２６１５号）。さらにスマートフォンを内装して自由端縁をファスナーで閉じることによりシステム手帳化するようにしたもの（実用新案登録第３１７８４０３号）や、スマートフォンの撮影機能を損うことのないように、スマートフォン自体をカバーの長さ方向に沿ってスライド移動させることによりスマートフォンのレンズ部分をカバーから露出できるようにスライド式パーツを備えたもの（実用新案登録第３１９４９２６号）等も知られている。
【先行技術文献】
【特許文献】
【０００４】
【特許文献１】実用新案登録第３１８９１１２号公報
【特許文献２】実用新案登録第３１９２６１５号公報
【特許文献３】実用新案登録第３１７８４０３号公報
【特許文献４】実用新案登録第３１９４９２６号公報
【考案の概要】
【考案が解決しようとする課題】
【０００５】
しかしながら、特許文献１に記載のものにおいては、名札や名刺、ＩＣカードとともに１つのケース内に収納できるようにした多目的ストラップケースに関し、二つ折り可能なストラップケースの内面側にスマートフォンを収納するための透明なポケットを備えている。しかしこの場合にスマートフォンの操作はポケットに収納したままの状態にて操作することは可能であるが、スマートフォンのカメラ機能を用いる場合にはいちいちスマートフォンを収納ポケットから取り出さなければならず、また取り出しや収納時にスマートフォンを床に落下させて損傷させてしまうおそれがある。
【０００６】
また、特許文献２に記載のものにおいては、中間の連接部により二つ折り自在としたカバーの片側内面に名刺等のポケットを形成するとともに、他側の内面にはスマートフォン等を吸着させる多数の吸盤を形成し、さらにその上方部に略全幅にわたるとともに下辺部を左右両端部よりも下方に膨出させて横長形状とした窓を形成した機器のカバーの構造が開示されている。しかしこのような構造である場合には、スマートフォンを装着した場合に、そのカメラ部や発光部、赤外線センサ送受光部等の機能が、カバーにスマートフォンを装着したままの状態で使用できる反面、該窓の部分が常時開放されているために、経時的にカメラレンズや発光部の表面に粉塵が付着しやすく、そのために定期的にスマートフォン等のカメラレンズ部や発光部、赤外線センサ送受光部等の清掃をしなければならない不都合がある。
【０００７】
さらに、特許文献３に記載のものにおいては、スマートフォン等の携帯端末ケースをシステム手帳化したことを特徴とするものであるが、この場合には単に携帯端末ケース内にスマートフォン等の携帯端末を収納できるだけで、使用時においてはケース内から取り出して操作をしなければならない。また特許文献４に記載のものにおいては、スマートフォンを二つ折りのカバー内に装着した場合に、カバー内に装着したままでスマートフォンのカメラ撮影を可能にするためにスマートフォンを粘着固定したまま該粘着部をカバーに沿って上下方向にスライド可能にするスライド式パーツを取り付けたもので、カメラ撮影時にスライド式パーツによりスマートフォンを上方にスライドさせることによりスマートフォンの背面側上方に有するカメラレンズ部分をスマートフォン取り付けカバーの上端縁より上方に位置させることができるようにしたものである。しかしこの場合にはカバー内にスライド式パーツを取り付ける必要があり、スマートフォンカバーとして比較的コスト高となるのを免れないためあまり現実的ではない。
【課題を解決するための手段】
【０００８】
そこで本考案においては、スマートフォン収納ケースとして、埃の進入しやすい窓部の形成の必要がなく、したがってスマートフォンの定期的なカメラレンズ部等の清掃の必要もなく、かつ各種カード類の収納も可能とするばかりでなく、スマートフォンのカメラ部や発光部、赤外線センサ送受光部等の機能を用いる際においてもいちいち収納ケース内からスマートフォンを取り出し、あるいは上方部にスライドさせるパーツ類の取り付けの必要もないより使い勝手のよいスマートフォン収納ケースを開発したものである。
【０００９】
具体的には、スマートフォンの縦横および厚み寸法を上回る大きさであって、中間の折り曲げ自在な連接部を介してその片側に形成した略平坦な表面カバーと、他側に形成した略平坦な裏面カバーと、表面カバーと裏面カバーとの間に、一端を上記した連接部付近に固定して折り曲げ自在の連接部とするとともに、その自由端を略平坦とし、該自由端面にスマートフォンを粘着剤等により取り付け可能としたスマートフォン取り付け板とからなり、該スマートフォン取り付け板は上方部がスマートフォンのカメラ撮影部や発光部、赤外線センサ送受光部等の使用時にそのままの状態において各機能を阻害しない構成としたことを特徴としたスマートフォン収納ケースに関する。
【００１０】
本考案はまた、上記スマートフォンの取り付け板の構成において、上方部がスマートフォンのカメラ撮影部や発光部、赤外線センサ送受光部等の使用時にそのままの状態において各機能を阻害しない構成が、取り付け板の上方部がスマートフォンのカメラレンズ部や発光部等にまで至らない短い高さとしてあることを特徴としたスマートフォン収納ケースに関する。さらに上記スマートフォンの取り付け板の構成において、上方部がスマートフォンのカメラ撮影部や発光部、赤外線センサ送受光部等の使用時にそのままの状態において各機能を阻害しない構成が、スマートフォン取り付け状態において、少なくともカメラレンズ部や発光部等の機能を妨げない透孔が設けられていることを特徴としたスマートフォン収納ケースに関する。
【００１１】
さらに本考案は、表面カバーおよび裏面カバーの少なくとも一方の裏側に、三辺が閉塞されて連接部に沿わせた一辺のみを開放させた袋状のポケットが形成されていることを特徴としたスマートフォン収納ケースに関する。さらに該袋状のポケットには会員カードや名刺等のカード類収納部を形成してあることを特徴としたスマートフォン収納ケースに関する。さらに本考案は、表面カバーと裏面カバーとの間に設けられたスマートフォン取り付け板の固定した取り付け端部の下端部付近に金属円環により縁部を補強された孔が形成されているところのスマートフォン収納ケースに関する。
【００１２】
さらに本考案は、スマートフォン取り付け板にスマートフォンを装着した場合に、スマートフォンの重みによりスマートフォン取り付け板の自由端縁部が垂れ下がって裏面カバーとの平行性を損なわないように、スマートフォン取り付け板の一端に有する折り曲げ自在の連接部およびその取り付け端部の上端部が、スマートフォン取り付け板の上端縁より取り付け端部上端縁にかけて高さを増すように構成されているところのスマートフォン収納ケースに関する。
【考案の効果】
【００１３】
本考案に係るスマートフォン収納ケースによれば、スマートフォンの縦横および厚み寸法を上回る大きさの表面カバーと裏面カバーとを中間の折り曲げ自在な連接部を介して二つ折り自在としたためにスマートフォンの不使用時における防護機能が十分であることは勿論のこと、カメラ撮影部や発光部、赤外線センサ送受光部等の使用時にそのままの状態において各機能を阻害しない構成としたスマートフォン取り付け板にスマートフォンが取り付けられているために、スマートフォンのカメラ撮影部や発光部、赤外線センサ送受光部等の使用時においては、収納ケースのスマートフォンを取り付けてなる取り付け板を残し、その両側に位置する表面カバーと裏面カバーとを、両者の通常の連接部の折り曲げ方向とは逆方向に折り曲げつつ表面カバーの表面部と裏面カバーの裏面部とを重ね合わせて片方の手で重ねて保持することによってスマートフォンを取り付けた状態の取り付け板を完全に露出させることができる。
【００１４】
これによって反対側の手により取り付け板に取り付けたままの状態においてスマートフォンによるカメラ撮影が実施され、また夜間の発光、あるいは赤外線センサの送受光操作を支障なくおこなうことができる。なおこの場合にスマートフォン取り付け板は上方部がスマートフォンのカメラ撮影部や発光部、赤外線センサ送受光部等の使用時にそのままの状態において各機能を阻害しない構成として、取り付け板の上方部にスマートフォンのカメラ撮影のためのレンズ部や発光部、赤外線センサ送受光部等の使用時にそのままの状態において各機能を阻害しない構成が、スマートフォン取り付け状態において、少なくともカメラレンズ部や発光部等の機能を妨げない透孔が設けられている場合においても、通常はその両面外側に表面カバーや裏面カバーにより覆われるために、透孔状の窓が形成してあっても塵埃によるカメラレンズ等の汚損がきわめて少ない。
【００１５】
さらに、スマートフォン取り付け板の一端に有する折り曲げ自在の連接部およびその取り付け端部の上端縁部が、スマートフォン取り付け板の上端縁より取り付け端部上端縁にかけて高さを増すように構成されているために、スマートフォン取り付け板にスマートフォンを装着した場合に、スマートフォンの重みによりスマートフォン取り付け板の自由端縁部が垂れ下がって裏面カバーとの平行性を損なうことがない。また表面カバーと裏面カバーとの間に設けられたスマートフォン取り付け板の固定した取り付け端部の下端部付近に円環により縁部を補強された孔が形成されているために、該孔にストラップを取り付け、あるいは細めのチェーンや紐を通してベルト等につなぐことにより収納ケースごとスマートフォンを紛失させることがない。
【図面の簡単な説明】
【００１６】
【図１】本考案の実施形態に係るスマートフォン収納ケースを展開した状態の平面図。
【図２】図１にあらわしたスマートフォン収納ケースにスマートフォンを取り付けた状態において収納ケースのスマートフォンを取り付けてなる取り付け板を残し、その両側に位置する表面カバーと裏面カバーとを、両者の通常の連接部の折り曲げ方向とは逆方向に折り曲げつつ表面カバーの表面部と裏面カバーの裏面部とを重ね合わせて取り付け板を特立させた状態の斜面図。
【考案を実施するための形態】
【００１７】
以下において本考案に係るスマートフォン収納ケースの具体的構造について例示する。
図１および図２には本考案に係るスマートフォン収納ケースの好ましい実施例が示されている。図に示したものは、実装するスマートフォンの縦横および厚み寸法を上回る大きさであって、中間の折り曲げ自在な連接部１を介してその片側に形成した厚手で略平坦な表面カバー２と、他側に形成した同じく厚手で略平坦な裏面カバー６と、表面カバー２と裏面カバー６との間に、一端８aを連接部1付近にステッチあるいは接着剤使用により固定して折り曲げ自在とした連接部８とするとともに、その自由端辺を幾分厚手で略平坦とし、該自由端辺面にスマートフォンSMを粘着剤を塗布したパッド１０により取り付け可能としたスマートフォン取り付け板９とからなる。
【００１８】
なお図中において６aは裏面カバー６の幅側自由端縁に折り曲げ自在に連接させた留め具であり、しかも該留め具６aの突出先端付近には内部にマグネット６bが埋設されており、スマートフォン取り付け板９にスマートフォンSMを固定した状態にて正面カバー２と裏面カバー６とを連接部１により二つ折りしてスマートフォンSMを挟んだ状態において、正面カバー２の表面側に留め具６aを折り曲げてその先端部を正面カバー２の表面側に重ね合わせた際に、正面カバー２の幅側中央端部近くには、上記留め具６aのマグネット６bと対応する位置に留め具６aのマグネット６ｂを吸着するマグネット（図示省略）が埋め込まれている。なおこの場合のマグネット６ｂおよびこれに対応する正面カバー２側の係止手段としては上記のマグネット式のほかにもホックボタン、あるいはマジックファスナー（登録商標）等の係止手段を用いることもできる。
【００１９】
さらに上記したスマートフォン取り付け板９は上方部がスマートフォンSMのカメラ撮影部や発光部、赤外線センサ送受光部等の使用時にそのままの状態において各機能を阻害しない構成としてある。具体的にはスマートフォン取り付け板９の上方部がスマートフォンSMのカメラレンズ部や発光部等にまで至らない短い高さとしてある。またこの場合に、スマートフォン取り付け板９の上下方向長さを正面・裏面カバー２および６の上下長さ以内で十分に長い寸法とし、その上方部であってスマートフォンSMのカメラ撮影部や発光部、赤外線センサ送受光部等の機能を発揮する対応箇所に透孔を設けるようにしてもよい。スマートフォン取り付け板９に透孔を設けても、通常は表面カバー２と裏面カバー６とにより覆われているために、スマートフォンSMの撮影用のレンズ面に塵埃等が付着することはきわめて少ない。なお図面中においてSTはそれぞれステッチを施した部分をあらわしている。
【００２０】
さらに表面カバー２および裏面カバー６の内面側には三辺がステッチ（ミシン目）ST等により閉じられ、連接部１に並行な一辺のみ開放された袋状のポケット２２および６６が設けられているが、この袋状のポケット２２および６６は表面カバー２および裏面カバー６の内面側一方にだけ設けるようにしてもよい。さらにこれらの袋状をしたポケット２２および６６には上端部のみ開放した袋状のカードポケット３および５が形成され、またカードポケット３には該ポケットの内部を透視できる透明なシートの周囲を貼り付けた透視窓部４が形成されている。一方裏面カバー６の袋状のポケット６６にもその内面側に上記した表面カバー２に形成したのと同様なカードポケット７a．7ｂ．７cが形成されている。
【００２１】
なおこれらのポケットの形成は表面カバー２または裏面カバー６の一方だけに形成してもよく、またポケットの数についても上記に限られるものではない。さらに連接部１、表面カバー２裏面カバー６、フマートフォン取り付け板９の各部材の材質については皮革や合成樹脂シート、ボール紙入りの布地等格別材質の如何を問わない。上記のスマートフォン収納ケースを使用する場合においては、中間の連接部１を境に表面カバー２と裏面カバー６とを互いに開いてスマートフォン取り付け板９を露出させ、該スマートフォン取り付け板９の片面に、表面に剥離紙を施した両面粘着剤シート１０を貼り付けるとともに、表面の剥離紙を剥離し、そこにスマートフォンSMの背面側下部を押圧して貼り付けることによりスマートフォン取り付け板９にスマートフォンSMを取り付ける。
【００２２】
なおこの場合に、上記した剥離紙付きの両面粘着剤シート１０は、好ましくは水拭きにより表面の汚れを容易に払拭できて繰り返し使用が可能であり、また必要以上にベタつきのない材質のものが良好である。またこの両面粘着シート１０は、あらかじめスマートフォン収納ケースのスマートフォン取り付け板９に貼り付けた状態としておいてもよい。スマートフォン取り付け板９に取り付けたスマートフォンSMは、通常はその両面が表面カバー２および裏面カバー６にて覆われ、さらに裏面カバー６の留め具６aによって表面カバー２の表面に留められているので万一床上に落下させてもスマートフォンSMは破損することが殆どない。
【００２３】
また、スマートフォンSMを使用する際においては連接部１に連接された表面カバー２を開くだけでただちにスマートフォンSMの操作が可能であり、また写真や動画撮影をおこなう場合においても、スマートフォンSをいちいちスマートフォン取り付け板９から剥がしとることなく、図２に示したように、スマートフォンSMのカメラ撮影レンズ部ＣＬや発光部ｈ、あるいは赤外線センサ送受光部等の使用時においては、収納ケースのスマートフォンＳMを取り付けてなる取り付け板９を残し、その両側に位置する表面カバー２と裏面カバー６とを、両者の通常の連接部１の折り曲げ方向とは逆方向に折り曲げつつ表面カバー２の表面部と裏面カバー６の背面部とを重ね合わせて片方の手で保持することによってスマートフォンＳMを取り付けた状態の取り付け板９を完全に露出させることができる。
【００２４】
これによって反対側の手により取り付け板９にスマートフォンＳMを取り付けたままの状態において露出しているカメラレンズＣＬによりカメラ撮影が実施され、また露出している発光部ｈにより夜間の発光、あるいは赤外線センサの送受光操作を支障なくおこなうことができる。また取り付け板９の一端に有する折り曲げ自在の連接部８およびその取り付け端部８aの上端縁部が、スマートフォン取り付け板9の上端縁より取り付け端部8aの上端縁にかけて弧状に次第に高さを増すようにした傾斜部８ｃを形成すると、スマートフォン取り付け板９にスマートフォンSMを装着した場合に、スマートフォンSMの重みによりスマートフォン取り付け板９の自由端縁部が垂れ下がって裏面カバー６との平行性を損なうことがなく使い勝手や外観性がより一層向上する。
【００２５】
さらに取り付け板９の取り付け基端付近の折り曲げ自在な連接部８の略下端部付近に形成した円環８ｂにはスマートフォンSM自体には取り付けることができないストラップを取り付けることができ、またチェーンや紐の先端部を結び通してベルト等に繋いでおけば収納ケースごとスマートフォンSMを紛失するようなことがない。
【符号の説明】
【００２６】
１    連接部
２    表面カバー
３    袋状のポケット
４    透視窓部
５    袋状のポケット
６    裏面カバー
６ａ  留め具
６ｂ  マグネット
７ａ  カードポケット
７ｂ  カードポケット
７ｃ  カードポケット
８    連接部
８ａ  取り付け板の取り付け端部
８ｂ  円環
８ｃ  傾斜部
９    スマートフォン取り付け板
１０  両面粘着剤シート
２２  袋状のポケット
６６  袋状のポケット
ＳＭ  スマートフォン
ＳＴ  ステッチ
ＣＬ  カメラ撮影レンズ部
ｈ    発光部
【図１】
0003197709.tif 000003
【図２】
0003197709.tif 000004
【手続補正書】
【提出日】平成27年3月30日(2015.3.30)
【手続補正１】
【補正対象書類名】実用新案登録請求の範囲
【補正対象項目名】全文
【補正方法】変更
【補正の内容】
【実用新案登録請求の範囲】
【請求項１】
スマートフォンの縦横および厚み寸法を上回る大きさであって、中間の折り曲げ自在な連接部を介してその片側に形成した略平坦な表面カバーと、他側に形成した略平坦な裏面カバーと、表面カバーと裏面カバーとの間に、一端を連接部付近に固定して折り曲げ自在の連接部とするとともに、その自由端を略平坦とし、該自由端面にスマートフォンを粘着剤により取り付け可能としたスマートフォン取り付け板とからなり、該スマートフォン取り付け板は上方部がスマートフォンのカメラ撮影部や発光部、赤外線センサ送受光部等の使用時にそのままの状態において各機能を阻害しない構成としたことを特徴としたスマートフォン収納ケース。
【請求項２】
スマートフォンの取り付け板の構成において、上方部がスマートフォンのカメラ・動画撮影レンズ部や発光部、赤外線センサ送受光部等の使用時にそのままの状態において各機能を阻害しない構成が、取り付け板の上方部がスマートフォンのカメラレンズ部や発光部等にまで至らない短い高さとしてあることを特徴とした請求項１に記載のスマートフォン収納ケース。
【請求項３】
スマートフォン取り付け板の一端に有する折り曲げ自在の連接部およびその取り付け端部の上端縁部が、スマートフォン取り付け板の上端縁より取り付け端部上端縁にかけて高さを増すように構成されていることを特徴とした請求項１または請求項２に記載のスマートフォン収納ケース。
【請求項４】
スマートフォンの取り付け板の構成において、上方部がスマートフォンのカメラ・動画撮影レンズ部や発光部、赤外線センサ送受光部等の使用時にそのままの状態において各機能を阻害しない構成が、スマートフォン取り付け状態において、少なくともカメラレンズ部や発光部等の機能を妨げない透孔が設けられているところの請求項１に記載のスマートフォン収納ケース。
【請求項５】
表面カバーおよび裏面カバーの少なくとも一方の裏側に、三辺が閉塞されて連接部に沿わせた一辺を開放させた袋状のポケットが形成されているところの請求項１〜４のいずれか１に記載のスマートフォン収納ケース。
【請求項６】
袋状のポケットの表面には少なくとも一つのカードポケットを形成してあるところの請求項５に記載のスマートフォン収納ケース。
【請求項７】
表面カバーと裏面カバーとの間に設けられたスマートフォン取り付け板の固定した取り付け端部の下端部付近に円環により縁部を補強した孔が形成されているところの請求項１〜６のいずれか１に記載のスマートフォン収納ケース。